(57)【要約】【課題】一度開封口を開けて内容物を取り出した後、開封された取出開口部を再び糊付けなしで封止できる再封止機能を備える包装箱を提供する。【解決手段】容器製品物の取り出しのために外フラップ、内フラップを順じ開いて胴部の端部に位置する開口部を開けた後、再度、開口部に対して外フラップ、内フラップの順に各フラップを折り畳む際に、外フラップと内フラップとを係止させる再封止機構を備えており、前記再封止機構は、内フラップの先端近傍に実質的に形成された係合片と、一対の外フラップを開口部に対して折り込むことにより形成される係合切欠受け部を有し構成され、外フラップを折り畳んだ後に形成される係合切欠受け部に内フラップの係合片を差し込むように内フラップを折り畳むことにより、内フラップと外フラップの係止がされてなるように構成される。【選択図】　図６
2004099074.tif 000002
【特許請求の範囲】
【請求項１】
複数枚の側板が連なって形成される帯状の胴部で容器製品物を包み込むように収納した後、開口したままになっている胴部の両端の開口部をそれぞれ一対の内フラップおよび外フラップで順次塞いでなるラップアラウンド式の包装箱において、
当該包装箱は、容器製品物の取り出しのために外フラップ、内フラップを順じ開いて胴部の端部に位置する開口部を開けた後、再度、開口部に対して外フラップ、内フラップの順に各フラップを折り畳む際に、外フラップと内フラップとを係止させる再封止機構を備えており、
前記再封止機構は、内フラップの先端近傍に実質的に形成された係合片と、一対の外フラップを開口部に対して折り込むことにより形成される係合切欠受け部を有し構成され、外フラップを折り畳んだ後に形成される係合切欠受け部に内フラップの係合片を差し込むように内フラップを折り畳むことにより、内フラップと外フラップの係止がされてなることを特徴とする包装箱。
【請求項２】
前記内フラップの先端近傍に形成されている係合片は、内フラップの先端部から内部に広がるテーパー部を備える実質的な台形形状をなしている請求項１に記載の包装箱。
【請求項３】
前記係合片におけるテーパー部は、切り込みにより分離形成されている請求項２に記載の包装箱。
【請求項４】
前記係合片におけるテーパー部は、切り欠きにより分離形成されている請求項２に記載の包装箱。
【請求項５】
前記係合片におけるテーパー部は、ミシン目が入れられており、内フラップと外フラップの係止時にミシン目部分が分離できるようになっている請求項２に記載の包装箱。
【請求項６】
前記テーパー部は、５〜４０度のテーパー角度を有している請求項２ないし請求項５のいずれかに記載の包装箱。
【請求項７】
前記内フラップが胴部と接続する箇所において柔軟可動補助部が介在されており、当該柔軟可動補助部の存在により、外フラップを折り畳んだ後に形成される係合切欠受け部に内フラップの係合片を差し込む操作を容易ならしめている請求項１ないし請求項６のいずれかに記載の包装箱。
【請求項８】
前記柔軟可動補助部の形成に対応して、内フラップが連接される側の胴部の角が切り取られた形態をなす請求項７に記載の包装箱。
【請求項９】
前記柔軟可動補助部の可動方向における長さＬａに対する内フラップの先端近傍に形成された係合片Ｌｆの比であるＬｆ／Ｌａ値が、０．３５〜１．７７である請求項８に記載の包装箱。
【請求項１０】
前記容器製品物が缶ビールである請求項１ないし請求項９のいずれかに記載の包装箱。
【発明の詳細な説明】
【０００１】
【発明の属する技術分野】
本発明は、缶製品等の容器製品物を包み込むように収納するいわゆるラップアラウンド式の紙製包装箱に関し、特に、一度開封口を開けて中身を取り出した後、開封された取出開口部を再び、簡易的に封止することができる機能を備える包装箱に関する。
【０００２】
【従来の技術】
【特許文献１】特開平８−１４３０２５号公報
【特許文献２】特開平９−１３２２３０号公報
【０００３】
いわゆるラップアラウンド式の包装箱による容器製品物の包装は一般に以下の要領で行われる。すなわち、一般に４枚の側板が連なって構成される帯状の胴部で容器製品物を包み込むように収納した後、その開口したままになっている胴部両端部をそれぞれ一対の内フラップおよび外フラップで順次塞ぐことにより、容器製品物が収納された包装箱が完成される。
【０００４】
このように形成された包装箱は、一般に、内フラップと外フラップとが糊付けで固着されている。そのため、例えば包装箱単位で購入した一般消費者が、一旦糊付けされているフラップを剥がして容器製品物を取り出した後は、糊付けなしで再び内フラップおよび外フラップを閉じて開口部を封止することはできない。
【０００５】
【発明が解決しようとする課題】
このように内外のフラップが開放されたままの状態であると、保管中の包装箱の外観が悪いという問題が生じる。さらに、フラップを開放したままでの保管では保管中に、異物が包装箱内に混入する恐れがあるという問題が生じる。別途、粘着テープ等を使用して強制的に内フラップおよび外フラップを閉じるという方法もあるが、その都度、粘着テープを準備して、貼り付け・剥がしを繰り返す必要があり、作業が極めて煩雑となってしまう。
【０００６】
このような実状のもとに本発明は創案されたものであり、その目的は、上記の問題点を解決し、一度開封口を開けて内容物を取り出した後、開封された取出開口部を再び糊付けなしで封止できる再封止機能を備える包装箱を提供することにある。
【０００７】
【課題を解決するための手段】
上記課題を解決するために本発明は、複数枚の側板が連なって形成される帯状の胴部で容器製品物を包み込むように収納した後、開口したままになっている胴部の両端の開口部をそれぞれ一対の内フラップおよび外フラップで順次塞いでなるラップアラウンド式の包装箱において、当該包装箱は、容器製品物の取り出しのために外フラップ、内フラップを順じ開いて胴部の端部に位置する開口部を開けた後、再度、開口部に対して外フラップ、内フラップの順に各フラップを折り畳む際に、外フラップと内フラップとを係止させる再封止機構を備えており、前記再封止機構は、内フラップの先端近傍に実質的に形成された係合片と、一対の外フラップを開口部に対して折り込むことにより形成される係合切欠受け部を有し構成され、外フラップを折り畳んだ後に形成される係合切欠受け部に内フラップの係合片を差し込むように内フラップを折り畳むことにより、内フラップと外フラップの係止がされてなるように構成される。
【０００８】
また、本発明の好ましい態様として、前記内フラップの先端近傍に形成されている係合片は、内フラップの先端部から内部に広がるテーパー部を備える実質的な台形形状をなしているように構成される。
【０００９】
また、本発明の好ましい態様として、前記係合片におけるテーパー部は、切り込みにより分離形成されているように構成される。
【００１０】
また、本発明の好ましい態様として、前記係合片におけるテーパー部は、切り欠きにより分離形成されているように構成される。
【００１１】
また、本発明の好ましい態様として、前記係合片におけるテーパー部は、ミシン目が入れられており、内フラップと外フラップの係止時にミシン目部分が分離できるように構成される。
【００１２】
また、本発明の好ましい態様として、前記テーパー部は、５〜４０度のテーパー角度を有しているように構成される。
【００１３】
また、本発明の好ましい態様として、前記内フラップが胴部と接続する箇所において柔軟可動補助部が介在されており、当該柔軟可動補助部の存在により、外フラップを折り畳んだ後に形成される係合切欠受け部に内フラップの係合片を差し込む操作を容易ならしめるように構成される。
【００１４】
また、本発明の好ましい態様として、前記柔軟可動補助部の形成に対応して、内フラップが連接される側の胴部の角が切り取られた形態をなすように構成される。
【００１５】
また、本発明の好ましい態様として、前記柔軟可動補助部の可動方向における長さＬａに対する内フラップの先端近傍に形成された係合片Ｌｆの比であるＬｆ／Ｌａ値が、０．３５〜１．７７となるように構成される。
【００１６】
また、本発明の好ましい態様として、前記容器製品物が缶ビールであるように構成される。
【００１７】
本発明においては、包装箱自体の構造、特にフラップの形態に工夫を凝らし、簡易な構造で、確実な再封止を糊付けなしですることができる。すなわち、外フラップを折り畳んだ後に形成される係合切欠受け部に、内フラップの係合片を差し込むように内フラップを折り畳むことにより、内フラップと外フラップが係止がされ、再封止可能となる。なお、本発明における再封止の場合、内フラップと外フラップの組み込み順は、最初に封止されている状態とは順番を逆にする。
【００１８】
【発明の実施の形態】
以下、本発明の包装箱の具体的実施の形態の一例について、図１〜図１０を参照しつつ説明する。
【００１９】
なお、以下に説明する実施の形態では、本発明の再封止作用がより簡便に行えるようにとの配慮から、内フラップと側板との間に柔軟可動補助部が形成された好適例が示されている。しかしながら、この柔軟可動補助部はなくても本発明の本質である再封止作用は確実に奏され、必須の要件ではない。
【００２０】
図１は、本発明の包装箱１の展開図の一例を示したものであり、図２は、図１に示されるように展開された箱オリジナル紙を組み立てた斜視図である。図３〜図７は、それぞれ、図２に示されるごとく組み立てられた包装箱（製品出荷箱）を、一度開封口を開けて内容物（容器製品物）を取り出した後、この開封された取出開口部を再び簡易的に封止するに至るまでの状況を経時的に説明するための概略斜視図である。図８〜図１０は、内フラップの先端近傍に実質的に形成された係合片の形態を説明するための部分拡大平面図（特に、図１のＡ部位置に相当）である。
【００２１】
本発明の包装箱１は、図１に示される展開図および図２に示される組立図から容易に理解できるように、まず最初に、複数枚（本実施の形態では４枚）の側板１１，２１，１５，２５が連なって形成される帯状の胴部で容器製品物（缶ビールなどの缶製品群）を包み込むように収納した後、糊代片９で帯状の胴部を筒状に一体固着することにより筒状の胴部が形成される。
【００２２】
その後、図１に示される折り目線６１，６５，８１，８５から４つの柔軟可動補助部３８（略長方形形状）が内側に折り込まれ、さらに折り目線６２，６６，８２，８６から４つの内フラップ３１，３１，３５，３５が内側に折り込まれる。
【００２３】
次いで、この折り込まれた４つの内フラップ３１，３１，３５，３５の外面の所定位置に糊付けがなされる（なお、この糊付けは、後述の説明からも分かるように係合片３に触れないようにすることが望ましい）。
【００２４】
次いで、この糊付け面に向けて、折り目線７１，７５，９１，９５から４つの外フラップ４１，４１，４５，４５が折り込まれ、図２に示されるような包装箱１が完成する。この状態は、いわゆる出荷箱に相当する。
【００２５】
次なる操作説明を開封操作と再封止操作に分けて以下説明する。
【００２６】
開封操作
図２に示される包装箱１の開封に際し、まず、図３に示されるごとく一対の外フラップ４１，４５が、矢印で示される外方向に向けて内フラップ３１，３５との糊付け面から引き剥がされる。なお、本発明でいう内フラップとは、未開封状態（出荷箱状態）で内側に位置するフラップをいい、外フラップとは、未開封状態（出荷箱状態）で外側に位置するフラップをいう。
【００２７】
次いで、図４に示されるごとく残った一対の内フラップ３１，３５が矢印で示される外方向に広げられて内容物（容器製品物）取り出しのための開口部Ｅが大きく開口される。この際に、内フラップ３１，３５と連接している一対の柔軟可動補助部３８，３８も内フラップ同様に外方向に広げられる。
【００２８】
図４に示されるような開封操作が完了したところで、一般には所定量の内容物（容器製品物）が取り出され、その後、残余の内容物を保管するために、各フラップの再封止操作が行われる。ビール製品（例えば缶ビール等）における消費者のカートン単位（包装箱単位）での購入が日常的になった昨今では、家庭内おけるこのような開封、再封止操作のニーズが高まりつつあるのが現状である。
【００２９】
再封止操作
図５に示されるごとくまず最初に、外フラップ４１，４５が矢印で示される内方向に向けて閉じられる。再封止の際には、開封前の状態とは異なり、外フラップ４１，４５を最初に閉めるように操作することに注意を要する。
【００３０】
次いで、図６に示されるごとく内フラップ３１，３５が閉じられる。この際に外フラップ４１，４５と内フラップ３１，３５とを係止させて再封止を行い、図７に示される再封止完了の状態に至る。
【００３１】
本発明の要部である外フラップと内フラップとを係止させる再封止機構について以下詳細に説明する。
【００３２】
再封止機構
本発明における再封止機構は、例えば図６に示されるように内フラップ３１，３５の先端近傍に実質的に形成された係合片３，３と、一対の外フラップ４１，４５を開口部に対して折り込むことにより形成される係合切欠受け部４０，４０を有し構成される。
【００３３】
例えば、図１、図４及び図５に示されるように外フラップ４１の先端方向の角部には切り欠き部４１ａ，４１ｂが形成されており、外フラップ４５の先端方向の角部には切り欠き部４５ａ，４５ｂが形成されており、この一対の外フラップ４１，４５を折り畳むことにより、切り欠き部４１ａ，４５ａの組み合わせ、および切り欠き部４１ｂ，４５ｂの組み合わせによりそれぞれ略釣鐘状の係合切欠受け部４０，４０が形成される（特に、図５参照）。
【００３４】
このようにして形成された係合切欠受け部４０，４０に、内フラップ３１，３５の係合片３，３を差し込むようにしながら内フラップ３１，３５をそれぞれ折り畳む（図６参照）。これにより、内フラップ３１，３５と外フラップ４１，４５の係止がされ、再封止操作が完了する（図７）。
【００３５】
図８に詳細に示されるように内フラップ３１の先端近傍に形成された係合片３は、内フラップの先端部Ｔｐから内部に広がるテーパー部４，４を備える実質的な台形形状をなしている。図８に示される態様では、例えば、切断刃を用いて打ち抜かれた切り込み４ａ，４ａにより分離形成されている。なお、『実質的な（台形形状）』という文言は、角部に丸みを持たせたり、テーパー部４，４を直線状ではなく、意図的に小さな波形状や突起形状を持たせて係合をより確実にしたりする態様をも含む趣旨である。
【００３６】
また、内フラップ３１の先端近傍に形成される係合片３は、図９に示されるように図８のテーパー部４，４に相当する箇所をミシン目４´，４´で形成しておき、内フラップと外フラップの係止操作が行なわれる際に、ミシン目４´，４´部分をそれぞれ切り取って分離するようにしてもよい。この場合には、ミシン目４´，４´が存在する限りにおいて（ミシン目が切られていない状態）、係合片３としての機能はまだ発現できない状態にあるといえる。しかしながら、このような態様をも本発明の技術的範囲に疑義無く含有させるために、クレーム上『内フラップの先端近傍に“実質的に”形成された係合片』と表現している。
【００３７】
このようにミシン目でテーパー部を形成した場合には、箱の強度が維持でき、しかも最初の組み立ての際に内フラップの上面に塗設する糊が箱内部に入り込むおそれがほとんどなく好都合である。
【００３８】
また、係合片３は、図１０に示されるようにテーパー部４，４を切り欠き４”、４”により完全に分離することにより形成されたものであってもよい。この場合には、係合片３の存在がすぐに目に付き、消費者にとって係合操作が暗示されているとの理解が容易にでき、好都合である。また、係合操作もより簡単になる傾向があり好都合である。
【００３９】
このような係合片３におけるテーパー部４，４は、５〜４０度、好ましくは、５〜２０度のテーパー角度θを有していることが望ましい（図８参照）。このようなテーパー部の存在により、係合片３を係合切欠受け部４０に差し込んだ時に、係合片３が外フラップ（係合切欠受け部４０の側部）を左右に押し広げて、その反発力を利用して係止させるという基本的作用が発現する。テーパー角度θの値が５度未満となると、係合切欠受け部４０に内フラップの係合片３を差し込むように挿入することが困難となるとともに、係合切欠受け部４０と係合片３との係止が十分に出来なくなる傾向が生じてしまう。また、このθの値が４０度を超えると、係合切欠受け部４０と係合片３との係止状態が不安定になる傾向が生じてしまう。
【００４０】
係合片３の長さは、短いほうが箱強度の低下に及ぼす影響が小さく好ましい。しかしながら、あまり短いと折れ曲がった時に係止できなくなってしまう。このような観点から、係合片３の長さは、１０〜５０ｍｍ、好ましくは、１５〜３０ｍｍ程度の範囲内に設定するのが望ましい。
【００４１】
また、本発明における係合片３は、内フラップの上面の糊付けエリア（外フラップと糊接合される箇所）をも考慮して形成しなければならず、図８に示されるごとく内フラップの先端近傍位置かつ中心線位置に限定される。係合片３の先端部の幅は、２０〜５５ｍｍ程度とするのがよい。
【００４２】
このような再封止機構は、図１の展開図からも明らかなように、図２〜図７で示される包装箱の底部にも勿論存在する。
【００４３】
本発明の実施の形態においては、上述のごとく各々の内フラップが胴部と接続する箇所において略長方形形状の柔軟可動補助部３８を介在させた好適な実施形態が記載されている。
【００４４】
このような柔軟可動補助部３８の存在により、外フラップを折り畳んだ後に形成される係合切欠受け部４０の中に、内フラップの係合片３を差し込む操作が極めて容易に行えるようになる。すなわち、図６に示されるように、柔軟可動補助部３８の存在により、内フラップ３１，３５を一旦大きく外側方向（図中の矢印と反対方向）に移動させることが出来、その後の操作である矢印方向への係合片３を差し込む操作が極めて容易となる。換言すれば、柔軟可動補助部３８の存在により、内フラップ３１，３５の移動の自由度が極めて大きくなるのである。
【００４５】
なお、図面から明らかなように柔軟可動補助部３８の形成に対応して、内フラップが連接される胴部の角が切り取られた形態をなしている（図１の符号Ｈ相当部分）。そのため、図６の側面２１側から見た平面形状は、箱の角部が切り取られたような変形８角形となっている。
【００４６】
また、図８に示されるように柔軟可動補助部３８の可動方向における長さＬａに対する内フラップの先端近傍に形成された係合片Ｌｆの比であるＬｆ／Ｌａ値は、０．３５〜１．７７、特に、０．５〜１．５に設定することが好適である。上記値の範囲で柔軟可動補助部３８の機能が十分に発揮され係合操作が格段と向上する。
【００４７】
【発明の効果】
本発明の包装箱は、複数枚の側板が連なって形成される帯状の胴部で容器製品物を包み込むように収納した後、開口したままになっている胴部の両端の開口部をそれぞれ一対の内フラップおよび外フラップで順次塞いでなるラップアラウンド式の包装箱であり、当該包装箱は、容器製品物の取り出しのために外フラップ、内フラップを順じ開いて胴部の端部に位置する開口部を開けた後、再度、開口部に対して外フラップ、内フラップの順に各フラップを折り畳む際に、外フラップと内フラップとを係止させる再封止機構を備えており、前記再封止機構は、内フラップの先端近傍に実質的に形成された係合片と、一対の外フラップを開口部に対して折り込むことにより形成される係合切欠受け部を有し構成され、外フラップを折り畳んだ後に形成される係合切欠受け部に内フラップの係合片を差し込むように内フラップを折り畳むことにより、内フラップと外フラップの係止がされてなるように構成されているので、一度開封口を開けて内容物を取り出した後、開封された取出開口部を極めて簡易な手法で糊付けなしで再封止することができる。
【図面の簡単な説明】
【図１】本発明の包装箱の展開図の一例を示したものである。
【図２】図１に示されるように展開された箱オリジナル紙を組み立てた斜視図である。
【図３】組み立てられた包装箱を、一度開封口を開けて内容物を取り出した後、この開封された取出開口部を再び簡易的に封止するに至るまでの状況を経時的に説明するための斜視図である。
【図４】組み立てられた包装箱を、一度開封口を開けて内容物を取り出した後、この開封された取出開口部を再び簡易的に封止するに至るまでの状況を経時的に説明するための斜視図である。
【図５】一度開封口を開けて内容物を取り出した後、この開封された取出開口部を再び簡易的に封止するに至るまでの状況を経時的に説明するための斜視図である。
【図６】一度開封口を開けて内容物を取り出した後、この開封された取出開口部を再び簡易的に封止するに至るまでの状況を経時的に説明するための斜視図である。
【図７】一度開封口を開けて内容物を取り出した後、この開封された取出開口部を再び簡易的に封止するに至るまでの状況を経時的に説明するための斜視図である。
【図８】内フラップの先端近傍に実質的に形成された係合片の一形態を説明するための部分拡大平面図（特に、図１のＡ部位置に相当）である。
【図９】内フラップの先端近傍に実質的に形成された係合片の一形態を説明するための部分拡大平面図（特に、図１のＡ部位置に相当）である。
【図１０】内フラップの先端近傍に実質的に形成された係合片の一形態を説明するための部分拡大平面図（特に、図１のＡ部位置に相当）である。
【符号の説明】
１…包装箱
３…係合片
１１，２１，１５，２５…側板
３１，３５…内フラップ
４０…係合切欠受け部
４１，４５…外フラップ
【図１】
2004099074.tif 000003
【図２】
2004099074.tif 000004
【図３】
2004099074.tif 000005
【図４】
2004099074.tif 000006
【図５】
2004099074.tif 000007
【図６】
2004099074.tif 000008
【図７】
2004099074.tif 000009
【図８】
2004099074.tif 000010
【図９】
2004099074.tif 000011
【図１０】
2004099074.tif 000012
【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
複数枚の側板が連なって形成される帯状の胴部、ならびに内フラップおよび外フラップを備えてなるラップアラウンド式の包装箱において、
当該包装箱は、容器製品物の取り出しのために外フラップ、内フラップを順じ開いて胴部の端部に位置する開口部を開けた後、再度、開口部に対して外フラップ、内フラップの順に各フラップを折り畳む際に、外フラップと内フラップとを係止させる再封止機構を備えており、
前記再封止機構は、内フラップの先端近傍に実質的に形成された係合片と、一対の外フラップを開口部に対して折り込むことにより形成される係合切欠受け部を有し構成され、外フラップを折り畳んだ後に形成される係合切欠受け部に内フラップの係合片を差し込むように内フラップを折り畳むことにより、内フラップと外フラップの係止がされてなることを特徴とする包装箱。
【請求項２】
前記内フラップの先端近傍に形成されている係合片は、内フラップの先端部から内部に広がるテーパー部を備える実質的な台形形状をなしている請求項１に記載の包装箱。
【請求項３】
前記係合片におけるテーパー部は、切り込みにより分離形成されている請求項２に記載の包装箱。
【請求項４】
前記係合片におけるテーパー部は、切り欠きにより分離形成されている請求項２に記載の包装箱。
【請求項５】
前記係合片におけるテーパー部は、ミシン目が入れられており、内フラップと外フラップの係止時にミシン目部分が分離できるようになっている請求項２に記載の包装箱。
【請求項６】
前記テーパー部は、５〜４０度のテーパー角度を有している請求項２ないし請求項５のいずれかに記載の包装箱。
【請求項７】
前記内フラップが胴部と接続する箇所において柔軟可動補助部が介在されており、当該柔軟可動補助部の存在により、外フラップを折り畳んだ後に形成される係合切欠受け部に内フラップの係合片を差し込む操作を容易ならしめている請求項１ないし請求項６のいずれかに記載の包装箱。
【請求項８】
前記柔軟可動補助部の形成に対応して、内フラップが連接される側の胴部の角が切り取られた形態をなす請求項７に記載の包装箱。
【請求項９】
前記柔軟可動補助部の可動方向における長さＬａに対する内フラップの先端近傍に形成された係合片Ｌｆの比であるＬｆ／Ｌａ値が、０．３５〜１．７７である請求項８に記載の包装箱。
【請求項１０】
前記容器製品物が缶ビールである請求項１ないし請求項９のいずれかに記載の包装箱。